(57)【特許請求の範囲】
【請求項１】
複数枚の羽根を環状配置して筒をなし、該筒をその軸線方向の複数箇所で該軸線に垂直をなす間板により補強したファンと、該ファンからの空気を送り出す風路を除き、該ファンの周囲に配置された室内熱交換器と、該室内熱交換器で発生するドレンを受けるべく該室内熱交換器と前記ファンとの間に配置されたスタビライザとを備え、
前記ファンの回転により、前記室内熱交換器を経た空気を取り込んで前記風路より室内に吐出する室内ユニットにおいて、
前記スタビライザの先端部の形状を、山部と谷部とを有する山谷形状とし、
前記各山部間のピッチ寸法と、前記各間板間のピッチ寸法とを略等しくし、
前記各羽根間のピッチ寸法と、前記山部及び前記谷部間のピッチ寸法とを、略等しくした
ことを特徴とする室内ユニット。
【請求項２】
請求項１に記載の室内ユニットにおいて、
前記山部と前記間板との相対位置を略一致させ、前記間板間の対向位置に前記谷部を配置したことを特徴とする室内ユニット。
【請求項３】
請求項１または２に記載の室内ユニットにおいて、
前記各羽根間のピッチ寸法をｔ１、前記山部及び前記谷部間のピッチ寸法をｔ２とした場合に、０．９≦ｔ２／ｔ１≦１．１としたことを特徴とする室内ユニット。
【請求項４】
室外熱交換器と、前記室内熱交換器に高温高圧の気体冷媒を送出する圧縮機と、各種電気回路素子よりなる室外ユニット制御部とを具備してなる室外ユニットと、
請求項１〜３の何れかに記載の室内ユニットと、
を備えたことを特徴とする空気調和機。
【発明の詳細な説明】
【０００１】
【発明の属する技術分野】
本発明は、暖房又は冷房により快適な室内環境を提供する室内ユニット及び空気調和機に係り、特に、送風性能の低下を抑えながらも騒音低減を達成できる室内ユニット及び空気調和機に関するものである。
【０００２】
【従来の技術】
図５は、従来の空気調和機に備えられている室内ユニットの一例を示す縦断面図である。同図に示す室内ユニットでは、ベース１に対して前面パネル２を組み合わせることで箱形の筐体（以下、これをケーシング３と呼ぶ）が形成されている。この前面パネル２には、その前面および上面にそれぞれ空気吸い込み口４，５，６が形成されている。
【０００３】
ケーシング３内には、プレートフィンチューブ形の室内熱交換器７およびクロスフローファンであるタンジェンシャルファン８が配置されている。室内熱交換器７は、複数のプレートフィンを平行に配列するとともにその両側にそれぞれ側板を配置し、かつこれら側板および複数のプレートフィンの間に冷媒の流れるチューブを配設した構成をなしている。タンジェンシャルファン８は、ケーシング３内の風路ケース１Ａ中に配設されている。
【０００４】
室内熱交換器７は、タンジェンシャルファン８が図中矢印ａに示す方向へ回転した際の空気の吸い込み側に、タンジェンシャルファン８を取り囲むように配設されている。この室内熱交換器７は、複数部分すなわち第１段部分７ａ，第２段部分７ｂ，第３段部分７ｃに３分割されている。一方、フロントパネル２の空気吹出し口２ａには、冷風および温風の送風方向を変える風向き変更装置９が設けられている。
また、上述したタンジェンシャルファン８の空気の吸い込み側に、風路ケース１Ａから突出延長する吸い込みノーズ１ａとベース１に取り付け設置されたスタビライザ１ｂがベース１と一体に設けられている。このスタビライザ１ｂは、室内熱交換器７で発生するドレン（凝縮液）を受けるドレンガイドを兼用しており、タンジェンシャルファン８の外周面に対して所定隙間を置いて平行をなす、概ね平板形状をなしている。
【０００５】
タンジェンシャルファン８が矢印ａに示す方向へ回転すると、周囲の空気がフロントパネル２の前面の空気吸い込み口４および上面の各空気吸い込み口５，６からそれぞれ吸い込まれ、室内熱交換器７の第１〜第３段部分７ａ〜７ｃに送られる。
そして、これら室内熱交換器７の第１〜第３段部分７ａ〜７ｃで空気が熱交換され、得られた冷風または温風Ｋがタンジェンシャルファン８の駆動により、上述した吸い込み側から当該タンジェンシャルファン８を横断して、図中矢印で示す方向に向かう流れとなり、やがて、空気吹出し口２ａから送風されていく。このときの冷風または温風Ｋは、風向き変更装置９により、その吹出し方向が変更されるようになっている。
【０００６】
【発明が解決しようとする課題】
ところで、上記説明の平板形状のスタビライザ１ｂは、前記ドレンを受け止めるべく、室内熱交換器７の第１段部分７ａとタンジェンシャルファン８との間に割り込むように設けられている。このため、このスタビライザ１ｂが、第１段部分７ａから送られてくる冷風または温風Ｋを阻止することから、タンジェンシャルファン８に流入する冷風または温風Ｋに、このスタビライザ１ｂを迂回させる必要があり、その分、当該冷風または温風Ｋの流速が速くなる傾向があった。
そして、タンジェンシャルファン８においては、このように送られてくる冷風または温風Ｋの流速の速い部分と遅い部分とが生じることにより、流速の速い部分では、冷風または温風Ｋの流れとタンジェンシャルファン８の羽根とが干渉し、ＮＺ音（タンジェンシャルファン８の回転数をＮ［ｒｐｍ］、その羽根の枚数をＺ［枚］とした場合に、その発生周波数ｆがＮＺ／６０［Ｈｚ］で表される騒音。）と称される挟帯域騒音が発生する問題があった。
【０００７】
かかる問題を解決するための手法の１つとして、従来では、例えばタンジェンシャルファン８の羽根を不等ピッチの間隔で配設するようにしたものが考案・実施されているものの、ピッチの広いところでは、ファン性能が低下し、ピッチの狭いところでは、通り抜ける冷風または温風Ｋの流速が同一であれば損失が増えることから、やはりファン性能の低下を起こしていた。
【０００８】
本発明は、上記事情に鑑みてなされたものであり、送風性能の低下を防いでかつ、空気の流れとファンとの干渉に起因する騒音を低減することができる、室内ユニット及び空気調和機を実現することを目的とする。
【０００９】
【課題を解決するための手段】
本発明は、上記課題を解決するために以下の手段を採用した。
すなわち、請求項１に記載の室内ユニットは、複数枚の羽根を環状配置して筒をなし、該筒をその軸線方向の複数箇所で該軸線に垂直をなす間板により補強したファンと、該ファンからの空気を送り出す風路を除き、該ファンの周囲に配置された室内熱交換器と、該室内熱交換器で発生するドレンを受けるべく該室内熱交換器と前記ファンとの間に配置されたスタビライザとを備え、前記ファンの回転により、前記室内熱交換器を経た空気を取り込んで前記風路より室内に吐出する室内ユニットにおいて、前記スタビライザの先端部の形状を、山部と谷部とを有する山谷形状とし、前記各山部間のピッチ寸法と、前記各間板間のピッチ寸法とを略等しくし、前記各羽根間のピッチ寸法と、前記山部及び前記谷部間のピッチ寸法とを、略等しくしたことを特徴とする。
【００１０】
上記請求項１に記載の室内ユニットによれば、先端部を山谷形状としたことで、山部を通ってファンに向かう空気の流れと、谷部を通ってファンに向かう空気の流れとの間に、位相差を発生させることができ、ファンに流入する空気の流速が部分的に速くなるのを防止することができるようになる。
なおかつ、各山部間のピッチ寸法と各間板間のピッチ寸法とを略等しくしたことにより、各間板間のピッチ寸法よりも狭いピッチ寸法を各山部間に持たせる場合に比較して、ファンに向かう流れを遮る山部の数を最適な数に減らすことができる。
しかも、各羽根間のピッチ寸法と山部及び谷部間のピッチ寸法とを略等しくすることにより、使用するファンに合わせた最適な山谷形状の先端部を採用することができるので、送風量の十分な確保と騒音低減とを、同時かつ確実に達成することができるようになる。
【００１１】
請求項２に記載の室内ユニットは、請求項１に記載の室内ユニットにおいて、前記山部と前記間板との相対位置を略一致させ、前記間板間の対向位置に前記谷部を配置したことを特徴とする。
上記請求項２に記載の室内ユニットによれば、ファンから送り出される空気の流れを、ファンの軸線方向に沿って見た場合、間板が配置された部分では他所に比較して風量の低下が生じるが、この間板部分に山部を一致させることで、送風部として特に有効な間板間位置に、送風流量の多い谷部を合わせることができ、ファンに流れ込む流量をより稼ぐことができる。
【００１２】
請求項３に記載の室内ユニットは、請求項１または２に記載の室内ユニットにおいて、前記各羽根間のピッチ寸法をｔ１、前記山部及び前記谷部間のピッチ寸法をｔ２とした場合に、０．９≦ｔ２／ｔ１≦１．１としたことを特徴とする。上記請求項３に記載の室内ユニットによれば、請求項１の作用を確実に得ることができる。
【００１３】
請求項４に記載の空気調和機は、室外熱交換器と、前記室内熱交換器に高温高圧の気体冷媒を送出する圧縮機と、各種電気回路素子よりなる室外ユニット制御部とを具備してなる室外ユニットと、請求項１〜３の何れかに記載の室内ユニットと、を備えたことを特徴とする。
上記  請求項４に記載の空気調和機によれば、請求項１と同様の作用を得ることができる。
【００１４】
【発明の実施の形態】
以下、本発明の室内ユニット及び空気調和機の一実施形態を、図面を参照しながら以下に説明するが、本発明がこれのみに限定解釈されるものでないことは、勿論である。
まず、図１を参照しながら、空気調和機の全体構成を以下に説明する。なお、この図１は、本実施形態の室内ユニット及びこれを備えた空気調和機を示す斜視図である。
【００１５】
同図に示す空気調和機は、室内ユニット１０及び室外ユニット２０から構成されている。これら室内ユニット１０及び室外ユニット２０は、冷媒が導通する冷媒配管２１や図示しない電気配線等により接続されている。冷媒配管２１は２本備えられており、冷媒は、その一方において室内ユニット１０から室外ユニット２０へ、また他方において室外ユニット２０から室内ユニット１０へと流れることになる。
【００１６】
室内ユニット１０は、従来の技術において図５を用いて説明したものと略同一構成を有するので、従来のものとの相違点を後述において説明し、その他構成は、図５で説明した前記室内ユニットと同様であるとして、ここでは説明を省略する。
【００１７】
室外ユニット２０には、その筐体２０ａ内に、室外熱交換器２０ｂ，プロペラファン２０ｃ，圧縮機２０ｆ，室外ユニット制御部２０ｇ等が備えられている。室外熱交換器２０ｂは、周囲に多数のプレート状フィンを備えた冷媒配管により構成されており、冷媒と室外気との熱交換を実現するためのものである。プロペラファン２０ｃは、筐体２０ａ内に背面から前面へと抜ける空気流を生じさせることにより、新たな空気を常に筐体２０ａ内に取り込んで、室外熱交換器２０ｂにおける熱交換効率の向上を図るために設けられている。
【００１８】
圧縮機２０ｆは、低温低圧の気体冷媒を、高温高圧の気体冷媒に変換して吐出するものであり、冷媒回路を構成する部品の中では最も中心的な働きを担うものである。ちなみに冷媒回路とは、この圧縮機２０ｆに加えて、前記室内熱交換器７、室外熱交換器２０ｂ、冷媒配管２１、膨張弁、及び冷媒の流れ方向を規定する四方弁（膨張弁及び四方弁は共に不図示）等から概略構成され、冷媒を室内ユニット１０と室外ユニット２０との間で循環させる回路である。
室外ユニット制御部２０ｇは、前記プロペラファン２０ｃ、圧縮機２０ｆ、その他室外ユニット２０に備えられた各種機器に関する動作制御等を行うもので、各種電気回路素子から構成されているものである。
【００１９】
以下では、これらの構成よりなる空気調和機の作用について、暖房運転時及び冷房運転時のそれぞれの場合に分けて説明する。
まず、暖房運転時には、圧縮機２０ｆで高温高圧の気体とされた冷媒が、冷媒配管２１を通って室内ユニット１０の室内熱交換器７に送られる。室内ユニット１０内では、タンジェンシャルファン８により前面パネル２から取り込まれた室内気に対して、室内熱交換器７を通過する高温高圧の気体冷媒から熱が与えられる。これにより、空気吹出し口２ａから温風が吹き出されることになる。また同時に、高温高圧の気体冷媒は、室内熱交換器７において凝縮液化し、高温高圧の液冷媒となる。
【００２０】
この高温高圧の液冷媒は、再び冷媒配管２１を通って室外ユニット２０における室外熱交換器２０ｂに送られる。室外ユニット２０では、図示しない膨脹弁を通過し減圧されて低温低圧の液冷媒となり、プロペラファン２０ｃにより筐体２０ａ内に取り込まれた新しい室外気から、室外熱交換器２０ｂを通過する低温低圧の液冷媒が熱を奪うことになる。低温低圧の液冷媒は、これにより蒸発気化して低温低圧の気体冷媒となる。これが再び圧縮機２０ｆに送出され、上記過程を繰り返すことになる。
【００２１】
次に、冷房運転時には、冷媒は上記とは逆方向に冷媒回路中を流れる。すなわち、圧縮機２０ｆで高温高圧の気体とされた冷媒が、冷媒配管２１を通過して室外熱交換器２０ｂに送られ、室外気に熱を与えて凝縮液化し高温高圧の液冷媒となる。この高温高圧の液冷媒は、図示しない膨張弁を通過して低温低圧の液冷媒となり、再び冷媒配管２１を通って室内熱交換器７に送られる。低温低圧の液冷媒は、ここで室内気から熱を奪って当該室内気を冷却するとともに、冷媒自身は蒸発気化して低温低圧の気体冷媒となる。これが再び圧縮機２０ｆに送出され、上記過程を繰り返すことになる。
【００２２】
これらの運転は、室内ユニット１０内に収められた室内ユニット制御部１５及び室外ユニット２０内に収められた室外ユニット制御部２０ｇが協調することにより、制御されるようになっている。
【００２３】
以下では、本実施形態の特徴部分である、前記ドレンガイドを兼ねたスタビライザを中心とする説明を、図２〜図４を参照しながら以下に行う。なお、以下の説明においては、従来の前記スタビライザ１ｂと区別するために、新たな符号３０を本実施形態のスタビライザに付与するものとする。
なお、図２は、本実施形態の室内ユニットに備えられているタンジェンシャルファン８とスタビライザ３０との相対位置を示す図であって、これらを、タンジェンシャルファン８の軸線に垂直な視線より見た視図である。また、図３は、同タンジェンシャルファン８を、その軸線に垂直な断面で見た場合の要部断面図である。
【００２４】
図２及び図３に示すように、タンジェンシャルファン８（ファン）は、複数枚の羽根８ａ，・・・を環状配置して筒をなし、該筒をその軸線方向の複数箇所で該軸線に垂直をなす間板８ｂ，・・・により補強した構成を有しており、図示されない駆動モータにより、前記軸線回りに回転可能となっている。なお、このタンジェンシャルファン８からの空気を送り出す風路を除いて、該タンジェンシャルファン８の周囲に前記室内熱交換器７が配置されている点や、該室内熱交換器７の第１段部分７ａで発生するドレンを受けるべく、この第１段部分７ａとタンジェンシャルファン８との間にスタビライザ３０が配置されている点も、従来と同様である。
【００２５】
スタビライザ３０は、タンジェンシャルファン８に流入する冷風または温風Ｋとは逆の方向に突出延長されるが、その先端部に、タンジェンシャルファン８に流入する空気の流に位相差を発生させるため、図２に示すように高さｔ２をもった山谷形状が施されており、また、この山谷形状は、タンジェンシャルファン８の長さ方向に流路面積を効率的に広げるために、山部と山部間の間隔をタンジェンシャルファン８の間板８ｂ間の間隔に合わせるように設けられた構成となっている。
【００２６】
この位相差発生手段は、図２に示すように、スタビライザ３０の先端部に形成された山部３１，・・・と谷部３２，・・・とを交互に有する山谷形状（傾斜部３３，・・・を有する鋸刃形状）である。そして、この山谷形状は、その各山部３１，３１間のピッチ寸法Ｐ１が、各間板８，８間のピッチ寸法Ｐ２と等しくされている（Ｐ１＝Ｐ２）。なおかつ、各山部３１，・・・は、それぞれ、対向する間板８ｂ，・・・との相対位置が一致しており、間板８ｂ，８ｂ間の対向位置に谷部３２が配置されている。
【００２７】
さらに、これら山部３１及び谷部３２間のピッチ寸法ｔ２は、タンジェンシャルファン８側の各羽根８ａ，８ａ間のピッチ寸法ｔ１（図３参照）と略等しくされている。具体的には、両ピッチ寸法ｔ１，ｔ２間の関係が、０．９≦ｔ２／ｔ１≦１．１となっている。
このｔ２／ｔ１のピッチ比について、図４を参照しながら説明する。なお、図４は、スタビライザ３０の山谷形状と、タンジェンシャルファン８の羽根ピッチ間隔との組み合わせによる、騒音性能及び送風性能の各傾向を示すグラフであり、横軸が前記ピッチ比ｔ２／ｔ１を示し、紙面左側の縦軸が騒音レベルを示し、紙面右側の縦軸が送風量を示している。
【００２８】
同図に示すように、前記ピッチ比ｔ２／ｔ１を変えた場合の騒音レベルの傾向は、ピッチ比ｔ２／ｔ１が増加して１．０に近付くにつれて下がり、そして約１．０以上で略横這い状態（最低騒音レベル）となる。この横這いでの騒音レベルに対して許容できる騒音レベル上昇を例えば３ｄＢとすると、これを達成できるピッチ比ｔ２／ｔ１としては約０．９以上を採用することが好ましいという結果が得られることになる（すなわち、０．９≦ｔ２／ｔ１）。
【００２９】
一方、送風量（ファン特性）の観点から見た場合、同図に示すように、ピッチ比ｔ２／ｔ１が１．０に近付くまでは略一定を保ち、そして約１．０以上で減少する傾向にある。ピッチ比が１．０に近付くまでの一定送風レベルを１００％とし、これからの送風量低下の許容量を例えば３％とした場合、これを達成できるピッチ比ｔ２／ｔ１としては、約１．１以下を採用することが好ましいという結果が得られることになる（すなわち、ｔ２／ｔ１≦１．１）。
以上説明の理由により、送風量の確保と、騒音レベルの低減との双方を同時に達成するには、ピッチ比ｔ２／ｔ１を、０．９以上かつ１．１以下にするのが好ましいということになる。
【００３０】
以上説明の本実施形態の室内ユニット１０は、そのスタビライザ３０の先端形状を、山部３１，・・・と谷部３２，・・・とを有する山谷形状とし、各山部３１，３１間のピッチ寸法Ｐ１と各間板８ｂ，８ｂ間のピッチ寸法Ｐ２とを略等しくし、各羽根８ａ，８ａ間のピッチ寸法ｔ１と山部３１及び谷部３２間のピッチ寸法ｔ２とを略等しくする構成を採用した。
この構成によれば、先ず、スタビライザ３０を高さｔ２をもった山谷形状としたことで、その傾斜線を越えてタンジェンシャルファン８に至る空気の流れは、０〜ｔ２の高さが０〜３６０°の位相差を発生させることができ、これによって空気の流れとタンジェンシャルファン８の羽根８ａとの衝突によって生じる圧力波の強さを抑制し、結果として騒音を低減させることが可能となる。
また、スタビライザ３０の各山部間のピッチ寸法Ｐ１をタンジェンシャルファン８の間板８ｂ間のピッチ寸法Ｐ２に合わせ、Ｐ１＝Ｐ２としたことで、流路障害物としての抵抗の大きい山部の流れがファンの羽根作用のない間板８ｂ部に流入し、流路障害物としての抵抗の小さい谷部の流れが間板８ｂ間の中点、すなわち羽根８ａの中央部に流入することになり、送風効果が向上する。
【００３１】
なおかつ、各山部３１，３１間のピッチ寸法Ｐ２と各間板８ｂ，８ｂ間のピッチ寸法とを略等しくしたことにより、各間板８ｂ，８ｂ間のピッチ寸法よりも狭いピッチ寸法を各山部３１，３１間に持たせる場合に比較して、タンジェンシャルファン８に向かう流れを遮る山部３１，３１の数を最適な数に減らすことができる。したがって、タンジェンシャルファン８に向かう流れに与える抵抗を低く抑えることができるので、送風性能の低下を防ぐことも可能となっている。
【００３２】
しかも、各羽根８ａ，８ａ間のピッチ寸法ｔ１と山部３１及び谷部３２間のピッチ寸法ｔ２とを略等しくすることにより、使用するタンジェンシャルファン８に合わせた最適な山谷形状のスタビライザ３０を採用することができるので、送風量の十分な確保と騒音低減とを、同時かつ確実に達成することが可能となる。以上説明のように、本実施形態の室内ユニット１０によれば、送風性能の低下を防ぐと共に、空気の流れとタンジェンシャルファン８との干渉による騒音を低減することが可能となる。
【００３３】
また、本実施形態の室内ユニット１０は、山部３１，・・・と間板８ｂ，・・・との相対位置を略一致させ、間板８ｂ，８ｂ間の対向位置に谷部３２を配置する構成を採用した。なおかつ、本実施形態の室内ユニット１０は、各羽根８ａ，８ａ間のピッチ寸法をｔ１、山部３１及び谷部３２間のピッチ寸法をｔ２とした場合に、０．９≦ｔ２／ｔ１≦１．１とする構成も採用した。
この構成によれば、タンジェンシャルファン８から送り出される空気の流れを、タンジェンシャルファン８の軸線方向に沿って見た場合、間板８ｂ，・・・が配置された部分では他所に比較して風量の低下が生じるが、この間板８ｂ部分に山部３１を一致させることで、送風部として特に有効な間板８ｂ，８ｂ間位置に、送風流量の多い谷部３２を合わせることができるので、間板８ｂ，８ｂ間位置に山部３１を配置する場合に比較して、より送風性能を向上させることが可能となる。
【００３４】
【発明の効果】
本発明の請求項１に記載の室内ユニットは、スタビライザの先端形状を、山部と谷部とを有する山谷形状とし、各山部間のピッチ寸法と各間板間のピッチ寸法とを略等しくし、各羽根間のピッチ寸法と山部及び谷部間のピッチ寸法とを略等しくする構成を採用した。
この構成によれば、先端部を山谷形状としたことで、山部を通ってファンに向かう空気の流れと、谷部を通ってファンに向かう空気の流れとの間に、位相差を発生させることができ、ファンに流入する空気の流速が部分的に速くなるのを防止することができるようになる。したがって、部分的に速い流速を持つ空気の流れがファンに対して干渉することによる騒音を低減させることが可能となる。
なおかつ、各山部間のピッチ寸法と各間板間のピッチ寸法とを略等しくしたことにより、各間板間のピッチ寸法よりも狭いピッチ寸法を各山部間に持たせる場合に比較して、ファンに向かう流れを遮る山部の数を最適な数に減らすことができる。したがって、ファンに向かう流れに与える抵抗を低く抑えることができるので、送風性能の低下を防ぐことも可能となっている。
しかも、各羽根間のピッチ寸法と山部及び谷部間のピッチ寸法とを略等しくすることにより、使用するファンに合わせた最適な山谷形状を採用することができるので、送風量の十分な確保と騒音低減とを、同時かつ確実に達成することが可能となる。
以上説明のように、本発明の室内ユニットによれば、送風性能の低下を防ぐと共に、空気の流れとファンとの干渉による騒音を低減することが可能となる。
【００３５】
また、請求項２に記載の室内ユニットは、山部と間板との相対位置を略一致させ、間板間の対向位置に谷部を配置する構成を採用した。この構成によれば、ファンから送り出される空気の流れを、ファンの軸線方向に沿って見た場合、間板が配置された部分では他所に比較して風量の低下が生じるが、この間板部分に山部を一致させることで、送風部として特に有効な間板間位置に、送風流量の多い谷部を合わせることができるので、間板間位置に山部を配置する場合に比較して、より送風性能を向上させることが可能となる。
【００３６】
また、請求項３に記載の室内ユニットは、各羽根間のピッチ寸法をｔ１、山部及び谷部間のピッチ寸法をｔ２とした場合に、０．９≦ｔ２／ｔ１≦１．１とする構成を採用した。この構成によれば、請求項１の効果を確実に得ることが可能となる。
【００３７】
また、請求項４に記載の空気調和機は、室外ユニットと、請求項１〜３の何れかに記載の室内ユニットとを備えた構成を採用した。この構成によれば、請求項１と同様の効果を得ることが可能となる。
【図面の簡単な説明】
【図１】本発明の室内ユニット及びこれを備えた空気調和機の一実施形態を示す斜視図である。
【図２】同室内ユニットに備えられているタンジェンシャルファンとスタビライザの先端部との相対位置を示す図であって、これらを、タンジェンシャルファンの軸線に垂直な視線より見た視図である。
【図３】同タンジェンシャルファンを、その軸線に垂直な断面で見た場合の要部断面図である。
【図４】スタビライザの先端部の山谷形状と、ファンの羽根ピッチ間隔との組み合わせによる、騒音性能及び送風性能の各傾向を示すグラフであり、横軸は、各羽根間のピッチ寸法をｔ１、山部及び谷部間のピッチ寸法をｔ２とした場合のピッチ比ｔ２／ｔ１を示し、紙面左側の縦軸は、騒音レベルを示し、紙面右側の縦軸は送風量を示している。
【図５】従来の空気調和機に備えられている室内ユニットを示す縦断面図である。
【符号の説明】
７・・・室内熱交換器
８・・・タンジェンシャルファン（ファン）
８ａ・・・羽根
８ｂ・・・間板
１０・・・室内ユニット
２０・・・室外ユニット
２０ｂ・・・室外熱交換器
２０ｆ・・・圧縮機
２０ｇ・・・室外ユニット制御部
３０・・・スタビライザ（ドレンガイド）
３１・・・山部
３２・・・谷部
Ｐ１・・・各山部間のピッチ寸法
Ｐ２・・・各間板間のピッチ寸法
ｔ１・・・各羽根間のピッチ寸法
ｔ２・・・山部及び谷部間のピッチ寸法
【図１】
0003593106.tif 000002
【図２】
0003593106.tif 000003
【図３】
0003593106.tif 000004
【図４】
0003593106.tif 000005
【図５】
0003593106.tif 000006